(57)【要約】【課題】  テレビ放送データの放送されている画像が一部でも表示されなくなった場合、ユーザ操作がなくてもテレビ放送データの記録が可能なテレビ記録制御装置を提供する。【解決手段】  外部から受信しているテレビ放送データをディスプレイ９に表示中に、当該受信しているテレビ放送データの放送されている画像の全てが表示される全表示状態であるか、少なくとも一部が欠けて表示される部分表示状態であるかを検出するディスプレイ表示監視部３と、ディスプレイ表示監視部３が部分表示状態であることを検出すると、受信しているテレビ放送データをＴＶ放送データ記憶装置４に記録させるＴＶ放送データ記録制御部５とを備える。【選択図】  図１
2006229892.tif 000002
【特許請求の範囲】
【請求項１】
外部から受信しているテレビ放送データを表示画面に表示中に、当該受信しているテレビ放送データの放送されている画像の全てが表示される全表示状態であるか、少なくとも一部が欠けて表示される部分表示状態であるかを検出する表示監視手段と、
上記表示監視手段が上記部分表示状態であることを検出すると、受信しているテレビ放送データを記憶部に記録させる記録制御手段とを備えることを特徴とするテレビ記録制御装置。
【請求項２】
外部から受信しているテレビ放送データの放送されている画像の全てが表示画面に表示される全表示状態中に、上記放送されている画像の少なくとも一部が欠けて上記表示画面に表示される部分表示状態となったことを検出する表示監視手段と、
上記表示監視手段が上記部分表示状態になったことを検出すると、受信しているテレビ放送データを記憶部に記録させる記録制御手段とを備えることを特徴とするテレビ記録制御装置。
【請求項３】
上記表示監視手段は、受信しているテレビ放送データ以外の他のデータの画像が、上記受信中のテレビ放送データの放送されている画像の少なくとも一部に重畳することを検知することで、上記部分表示状態を検出することを特徴とする請求項１または２に記載のテレビ記録制御装置。
【請求項４】
上記部分表示状態にあって、上記記録制御手段が受信している放送データを上記記憶部に記録させている間に、上記表示監視手段が上記全表示状態であることを検出すると、
上記記録制御部は、受信しているテレビ放送データの上記記憶部での記録を終了させることを特徴とする請求項１〜３の何れかに記載のテレビ記録制御装置。
【請求項５】
上記表示監視手段が上記部分表示状態であることを検出すると、上記記録制御手段は設定に応じて、受信しているテレビ放送データを上記記憶部に記録させることを特徴とする請求項１〜４の何れか１項に記載のテレビ記録制御装置。
【請求項６】
請求項１〜５の何れか１項に記載のテレビ記録制御装置として機能することを特徴とするテレビ受信機能付携帯端末。
【請求項７】
外部から受信しているテレビ放送データを表示画面に表示中に、当該受信しているテレビ放送データの放送されている画像の全てが表示される全表示状態であるか、少なくとも一部が欠けて表示される部分表示状態であるかを検出する表示監視ステップと、
上記表示監視ステップにおいて、上記部分表示状態であることを検出すると、受信しているテレビ放送データを記憶部に記録させる記録制御ステップとを含むことを特徴とするテレビ記録制御方法。
【請求項８】
外部から受信しているテレビ放送データの放送されている画像の全てが表示画面に表示される全表示状態中に、上記放送されている画像の少なくとも一部が欠けて上記表示画面に表示される部分表示状態となったことを検出する表示監視ステップと、
上記表示監視手段が上記部分表示状態になったことを検出すると、受信しているテレビ放送データを記憶部に記録させる記録制御ステップとを含むことを特徴とするテレビ記録制御方法。
【請求項９】
上記請求項１〜５の何れか１項に記載のテレビ記録制御装置を動作させる制御プログラムであって、上記各手段をコンピュータに実現させることを特徴とするテレビ記録制御プログラム。
【請求項１０】
請求項９に記載のテレビ記録制御プログラムを記録したコンピュータ読み取り可能な記録媒体。
【発明の詳細な説明】
【技術分野】
【０００１】
本発明は、テレビ放送の視聴及びテレビ放送データの記録再生が可能なテレビ記録制御装置、テレビ受信機能付携帯端末、及びテレビ記録制御方法に関するものである。
【背景技術】
【０００２】
近年の携帯電話機は、通話機能だけでなく様々な機能が付加されている。中には、テレビ受信機能付きの携帯電話機（テレビ付き携帯電話機）もある。このテレビ付き機携帯電話機に関するものとして、例えば特許文献１に、テレビ（ＴＶ）放送視聴中に電話の着信が生じたとき又はユーザが通話開示操作を行ったとき、ＴＶ放送データを保存する携帯型視聴装置が開示されている。また、例えば特許文献２に、ＴＶ放送視聴中にテレビ電話もしくは音声電話の通信があると、ＴＶ放送データを保存する携帯端末が開示されている。
【特許文献１】特開２００３−１１１００４号公報（２００３年４月１１日公開）
【特許文献２】特開２００３−３４８５１０号公報（２００３年１２月５日公開）
【発明の開示】
【発明が解決しようとする課題】
【０００３】
しかしながら、テレビ付き携帯電話機のユーザのＴＶ放送視聴を妨げるイベントは、ＴＶ放送視聴中の電話の通信時のみではない。例えば、電子メール着信等のユーザの意図しないプッシュイベントはもとより、アラーム機能が動作した場合等もユーザのＴＶ放送視聴を妨げる。また、ＴＶ放送視聴中に携帯電話に保持しているスケジュールデータの確認を行う等、ＴＶ放送視聴中にユーザが意図して他のアプリケーションを起動するために、ＴＶ放送視聴を中断する場合もある。このような電話の通信時以外でＴＶ放送表示中にＴＶ放送の表示を妨げるイベントが発生した場合、すなわち、ＴＶ放送画面以外の画面がＴＶ放送画面にオーバラップして表示された場合には、上記した従来のテレビ付き携帯電話機では、ユーザはＴＶ視聴を諦めなければならない。また、ＴＶ放送データの記録機能を用いたとしても、ユーザがＴＶ放送の記録の設定を行ってから他のアプリケーションを起動しなくてはならない。
【０００４】
本発明は、上記の問題点に鑑みてなされたものであり、その目的は、テレビ放送データの放送されている画像が一部でも表示されなくなった場合、ユーザ操作がなくてもテレビ放送データの記録を行うことができる、テレビ記録制御装置、テレビ受信機能付携帯端末、及びテレビ記録制御方法を提供することにある。
【課題を解決するための手段】
【０００５】
本発明に係るテレビ記録制御装置は、上記課題を解決するために、外部から受信しているテレビ放送データを表示画面に表示中に、当該受信しているテレビ放送データの放送されている画像の全てが表示される全表示状態であるか、少なくとも一部が欠けて表示される部分表示状態であるかを検出する表示監視手段と、上記表示監視手段が上記部分表示状態であることを検出すると、受信しているテレビ放送データを記憶部に記録させる記録制御手段とを備えることを特徴としている。
【０００６】
また、本発明に係るテレビ記録制御方法は、上記課題を解決するために、外部から受信しているテレビ放送データを表示画面に表示中に、当該受信しているテレビ放送データの放送されている画像の全てが表示される全表示状態であるか、少なくとも一部が欠けて表示される部分表示状態であるかを検出する表示監視ステップと、上記表示監視ステップにおいて、上記部分表示状態であることを検出すると、受信しているテレビ放送データを記憶部に記録させる記録制御ステップとを含むことを特徴としている。
【０００７】
また、本発明に係るテレビ記録制御装置は、上記課題を解決するために、外部から受信しているテレビ放送データの放送されている画像の全てが表示画面に表示される全表示状態中に、上記放送されている画像の少なくとも一部が欠けて上記表示画面に表示される部分表示状態となったことを検出する表示監視手段と、上記表示監視手段が上記部分表示状態になったことを検出すると、受信しているテレビ放送データを記憶部に記録させる記録制御手段とを備えることを特徴としている。
【０００８】
また、本発明に係るテレビ記録制御方法は、上記課題を解決するために、外部から受信しているテレビ放送データの放送されている画像の全てが表示画面に表示される全表示状態中に、上記放送されている画像の少なくとも一部が欠けて上記表示画面に表示される部分表示状態となったことを検出する表示監視ステップと、上記表示監視手段が上記部分表示状態になったことを検出すると、受信しているテレビ放送データを記憶部に記録させる記録制御ステップとを含むことを特徴としている。
【０００９】
上記構成および上記方法によると、常に表示画面が監視されており、テレビ放送データの放送されている画像が一部でも表示されなくなった場合には、ユーザの操作が無くてもＴＶ放送データの記録を行うことができる。
【００１０】
ここで、テレビ放送データの放送されている画像とは本来表示されるべき画像のことである。よって、テレビ放送データの放送されている画像が一部表示されなくなった場合とは、例えば、表示画面に表示されたテレビ放送データの上に何らかのテレビ放送データ以外のデータがオーバラップして重畳表示される場合が挙げられる。あるいは、テレビ放送データの放送されている画像の表示領域が表示画面内で移動可能になっており、その表示領域の少なくとも一部が表示画面から外れる場合等が挙げられる。なお、本明細書において、画像とは、静止画、動画いずれであってもよく、また文字を含んでいてもよいものとする。
【００１１】
従来のテレビ付き携帯電話機では、電話の通信以外でテレビ放送表示中にテレビ放送の表示を妨げるイベント、すなわち、テレビ放送以外の画面がＴＶ放送の画面表示にオーバラップして表示された場合には、ユーザはテレビ視聴を諦めなければならなかった。また、テレビ放送データの記録機能を用いたとしても、ユーザがＴＶ放送の記録の設定を行ってから他のアプリケーションを起動しなくてはならなかった。
【００１２】
しかし、本発明によると、ユーザが意図するしないにかかわらず、テレビ放送を視聴中に、テレビ放送データの放送されている画像が一部表示されなくなるというテレビ放送の視聴を妨げるイベントが発生した場合でも、ユーザの操作なしに、つまり自動的に、テレビ放送データの記録を行うことができる。このことにより、テレビ放送の視聴ができなかった部分を後で視聴することが可能になる。
【００１３】
テレビ放送の視聴を妨げるイベントが緊急性を有するものでも、そのテレビ放送の視聴を妨げるイベントに対処した、あるいはそのイベントが終了した後に、記録されたテレビ放送を再生することにより、テレビ放送を継続して、かつ集中して視聴することができる。テレビ放送の視聴を妨げるイベントにも対処でき、その後テレビ放送を視聴することができる、ユーザにとって使い勝手のよいテレビ記録制御装置を提供することができる。
【００１４】
本発明に係るテレビ記録制御装置では、上記構成に加え、上記表示監視手段は、受信しているテレビ放送データ以外の他のデータの画像が、上記受信中のテレビ放送データの放送されている画像の少なくとも一部に重畳することを検知することで、上記部分表示状態を検出してもよい。
【００１５】
上記構成によると、テレビ放送データが表示されている上に、何らかのテレビ放送データ以外のデータが重畳表示されると、テレビ放送データの記録が行われる。そのため、重畳表示されたデータに意識が集中しても、後ほど記録されたテレビ放送を再生することにより、テレビ放送を視聴することができる。そのため、意識が散漫にならず、重畳データの確認、およびテレビ放送の視聴を行うことができる。
【００１６】
本発明に係るテレビ記録制御装置では、上記構成に加え、上記部分表示状態にあって、上記記録制御手段が受信している放送データを上記記憶部に記録させている間に、上記表示監視手段が上記全表示状態であることを検出すると、上記記録制御部は、受信しているテレビ放送データの上記記憶部での記録を終了させてもよい。
【００１７】
上記構成によると、部分表示状態である間だけ、テレビ放送を記録する。テレビ放送データの放送されている画像が一部表示されなくなった後全部が表示されるようになると、つまり、視聴を妨げるイベントが終了した後は、ユーザは、テレビ放送の視聴に戻る場合が多い。上記構成によると、視聴を妨げるイベントがある間のみテレビ放送データを記録するので、テレビ放送の視聴を妨げるイベント後の無駄な記録等を行うことがない。そのため、後ほど記録されたテレビ放送を再生して視聴する場合でも、既に見た部分を見ることなく、無駄な視聴を省いて、見逃した部分のみを確実に視聴することができる。無駄な記録が行われないので、記録部の容量が少ない場合にも対応することができる。
【００１８】
本発明に係るテレビ記録制御装置では、上記構成に加え、上記表示監視手段が上記部分表示状態であることを検出すると、上記記録制御手段は設定に応じて、受信しているテレビ放送データを上記記憶部に記録させてもよい。
【００１９】
上記構成によると、記録制御手段は設定に応じて、受信しているテレビ放送データを上記記憶部に記録させる。この設定は、例えば、ユーザが切替可能で行えるようになっていてもよい。このようになっていることで、ユーザは、記録するか否かの選択をすることができる。
【００２０】
予め記録するように設定しておくことで、テレビ放送データの放送されている画像が一部でも表示されなくなった場合、記録制御手段はテレビ放送データを記憶部に記録させる。また、予め記録しないように設定しておくことで、記録制御手段はテレビ放送データを記憶部に記録させない。また、テレビ放送データの放送されている画像が一部でも表示されなくなった時点で、記憶部に記憶させるか記憶させないかの判断をユーザにさせるようになっていてもよい。
【００２１】
本発明に係るテレビ受信機能付携帯端末は、上記課題を解決するために、上記何れかに記載のテレビ記録制御装置として機能することを特徴とする。
【００２２】
上記構成によると、例えばテレビ付き携帯電話機等のテレビ受信機能付携帯端末にてテレビを視聴中に、表示画面に何らかのデータが表示されるテレビ受信機能付携帯端末の有する機能を使用する場合、あるいは、ユーザが意図せず何らかのデータが表示画面に表示されるようなイベントが発生した場合でも、ユーザの操作なしに自動的に、テレビ放送が記録される。そのため、ユーザは、テレビ視聴中でも、気軽に例えば他のアプリケーションを起動でき、後ほど記録されたテレビ放送を視聴することができる。そのため、例えば、メールの受信や返信等も、テレビ放送の続きを気にすることなく行うことができ、その受信や返信等の後に、テレビ放送の内容を見逃すことなく確実に視聴することができる。
【００２３】
なお、本発明に係るテレビ記録制御装置は、コンピュータにより実現してもよく、この場合には、コンピュータを上記各手段として動作させることにより上記テレビ記録制御装置をコンピュータにて実現させるテレビ記録制御プログラム、及びそのテレビ記録制御プログラムを記録したコンピュータ読み取り可能な記録媒体も、本発明の範疇に入る。
【００２４】
これらの構成によれば、本発明に係るテレビ記録制御プログラムを、コンピュータに読み取り実行させることによって、上記テレビ記録制御装置と同一の作用効果を実現することができる。
【発明の効果】
【００２５】
本発明に係るテレビ記録制御装置は、以上のように、外部から受信しているテレビ放送データを表示画面に表示中に、当該受信しているテレビ放送データの放送されている画像の全てが表示される全表示状態であるか、少なくとも一部が欠けて表示される部分表示状態であるかを検出する表示監視手段と、上記表示監視手段が上記部分表示状態であることを検出すると、受信しているテレビ放送データを記憶部に記録させる記録制御手段とを備えている。
【００２６】
上記構成によると、常に表示画面が監視されており、テレビ放送データの放送されている画像が一部でも表示されなくなった場合には、ユーザの操作が無くてもＴＶ放送データの記録を行うことができる。
【００２７】
よって、ユーザが意図するしないにかかわらず、テレビ放送を視聴中に、テレビ放送データの放送されている画像が一部表示されなくなるというテレビ放送の視聴を妨げるイベントが発生した場合でも、ユーザの操作なしに、つまり自動的に、テレビ放送データの記録を行うことができる。このことにより、テレビ放送の視聴ができなかった部分を後で視聴することが可能になる。
【００２８】
テレビ放送の視聴を妨げるイベントが緊急性を有するものでも、そのテレビ放送の視聴を妨げるイベントに対処した、あるいはそのイベントが終了した後に、記録されたテレビ放送を再生することにより、テレビ放送を継続してかつ集中して視聴することができる。テレビ放送の視聴を妨げるイベントにも対処でき、その後テレビ放送を視聴することができる、ユーザにとって使い勝手のよいテレビ記録制御装置を提供することができる。
【発明を実施するための最良の形態】
【００２９】
本発明の一実施形態について図１〜図３に基づいて説明すると以下の通りである。なお、本発明はテレビ放送データを記録部に記録させる任意のテレビ記録制御装置に適用できる。以下では、本実施形態のテレビ記録制御装置１５をテレビ受信機能付携帯電話機（携帯端末）の構成の一部として説明するが、本発明はこれに限定されるものではない。
【００３０】
図１は、本実施形態のテレビ記録制御装置１５の概略構成を示すブロック図である。テレビ記録制御装置１５は、ＴＶ放送データバックアップ制御部１、ＴＶ放送データバックアップ設定部２、ディスプレイ表示監視部３、ＴＶ放送データ記録制御部５、ＴＶチューナ６、ＴＶ放送データ制御部７と、ディスプレイ制御部８、ＴＶ放送データバックアップ設定部２、ＴＶ放送データ記憶装置（記憶部）４、ディスプレイ（表示画面）９、スピーカ１１、および、他のアプリケーションデータ制御部１２を有する。
【００３１】
ＴＶ放送データバックアップ設定部２は、ＴＶ放送データをＴＶ放送データ記憶装置４に記録する（ＴＶバックアップ）ための設定を行う。本実施形態では、ＴＶ放送データバックアップ設定部２は、ユーザからの入力を受付けてＴＶ放送データバックアップ制御部に１に送り、ＴＶバックアップを設定するようになっているものとする。設定のための入力は、ユーザが、例えばボタンスイッチあるいはタッチパネル等を介してできるようになっていればよい。本実施形態では、設定は切替可能になっており、ＯＮでＴＶバックアップが設定され、ＯＦＦでＴＶバックアップの設定が解除されるようになっているものとする。このようになっていることで、ユーザが、以下で説明するオーバラップ表示時にテレビ放送データを記録するか否かの選択をすることができる。
【００３２】
ディスプレイ表示監視部３は、ディスプレイ制御部８がＴＶ放送画面の上に他アプリケーションの画面を重畳表示するオーバラップ表示を行っているか否かを監視する。また、ディスプレイ表示監視部３は、ディスプレイ制御部８内の状態（ディスプレイに表示されている一番上の画像種別）を読出すための要求データを、ディスプレイ制御部８に送信する。
【００３３】
ディスプレイ表示監視部３が、ＴＶ放送画面（テレビ放送データの放送されている画像）の上に他アプリケーション画面（受信しているテレビ放送データ以外の他のデータの画像）がオーバラップしたことを検出した場合、ディスプレイ表示監視部３は、ＴＶ放送データバックアップ制御部１に通知する。また、ディスプレイ表示監視部３は、ＴＶ放送画面の上に他アプリケーション画面のオーバラップ表示が無くなったことを検出した場合、ＴＶ放送データバックアップ制御部１に通知する。
【００３４】
ここで、オーバラップ表示とは、図３（ａ）に示すように表示画面全面にＴＶ放送画面（テレビ放送データの放送されている画像）が表示されている場合（全表示状態）、または図３（ｂ）に示すように、表示画面の一部の領域にＴＶ放送画面（テレビ放送データの放送されている画像）が全部表示されている場合（全表示状態）に、図３（ｃ）〜（ｆ）に示すように、ＴＶ放送画面の少なくとも一部を覆うように他のアプリケーション画面が重畳表示されることである（部分表示状態）。
【００３５】
なお、ＴＶ放送画面にオーバラップする他のアプリケーションの画面とは、例えば、メール、スケジュール帳、写真、ゲーム等の画面が挙げられるが、これらに限定はされることはない。
【００３６】
ＴＶ放送データバックアップ制御部１は、ディスプレイ表示監視部３より、ＴＶ放送画面に他アプリケーションの画面がオーバラップしたという通知を受けると、ＴＶ放送データ記録制御部５に対してＴＶ放送データの記録開始を通知する。また、ＴＶ放送データバックアップ制御部１は、ディスプレイ表示監視部３より上記ＴＶ放送画面の上に他アプリケーション画面のオーバラップが無くなったことを検出したことの通知を受け、ＴＶ放送データ記録制御部５に対してＴＶ放送データの記録終了を通知する。
【００３７】
この記録開始前や記録終了前に、ＴＶ放送データバックアップ制御部１は、ＴＶ放送データバックアップ設定部２へＴＶバックアップ設定値の読出し要求データを送信し、ユーザ入力に基づき、記録開始や記録終了の通知を５に送ってもよい。
【００３８】
ＴＶ放送データ記録制御部５は、ＴＶ放送データバックアップ制御部１より上記ＴＶ放送データの記録開始の通知を受け、ＴＶチューナ６で受信したＴＶ放送データをＴＶ放送データ記憶装置４への記録を開始する。また、ＴＶ放送データ記録制御部５は、ＴＶ放送データバックアップ制御部１より上記ＴＶ放送データの記録終了の通知を受け、ＴＶチューナ６で受信したＴＶ放送データのＴＶ放送データ記憶装置４への記録を終了する。なお、放送の記録は、映像または音声のうちの一方であってもよいし、両方であってもよい。
【００３９】
また、ＴＶ放送データ記録制御部５は、ＴＶ放送データバックアップ制御部１へ、ＴＶ放送データの記録開始の通知およびＴＶ放送データの記録終了の通知への確認応答データを送信する。
【００４０】
ＴＶチューナ６は、アンテナ（図示せず）を介して、テレビ放送信号を受信する。このテレビ放送信号は、デジタル方式の放送信号であっても、アナログ方式の放送信号であってもかまわない。また、地上波デジタルテレビ放送信号を含んでいてもよい。
【００４１】
ＴＶ放送データ制御部７は、ＴＶチューナ６から受信したテレビ放送信号から、表示させる画像データをディスプレイ制御部に送信する。また、音声データをオーディオ制御部１０に送信する。なお、画像データとは、静止画、動画いずれのデータであってもよく、また文字を含んでいるデータでもよいものとする。
【００４２】
ディスプレイ制御部８は、ディスプレイ９での表示を制御し、ＴＶ放送データ制御部７から送られてきた画像データや他のアプリケーションデータ制御部１２から送られてきた画像データをディスプレイ９に表示させる。ディスプレイ制御部８からＴＶ放送データ制御部７には、ＴＶ放送データ制御部７からのデータに対する確認応答データが送信される。また、ディスプレイ制御部８から他のアプリケーションデータ制御部１２には、他のアプリケーションデータ制御部１２からのデータに対する確認応答データが送信される。
【００４３】
オーディオ制御部１０は、スピーカ１１での出力を制御し、ＴＶ放送データ制御部７から送られてきた音声データや他のアプリケーションデータ制御部１２から送られてきた音声データをスピーカ１１に出力させる。オーディオ制御部１０からＴＶ放送データ制御部７には、ＴＶ放送データ制御部７からのデータに対する確認応答データが送信される。また、オーディオ制御部１０から他のアプリケーションデータ制御部１２には、他のアプリケーションデータ制御部１２からのデータに対する確認応答データが送信される。
【００４４】
上記したように、本実施形態では、ディスプレイ表示監視部３とディスプレイ制御部８を別々にしたが、例えば、ディスプレイ表示監視部３の機能をディスプレイ制御部８が有していてもよい。
【００４５】
ＴＶ放送データ記憶装置４は、ＴＶ放送データを記憶しておく揮発性の記憶装置である。ＴＶ放送データ記憶装置４は、内臓フラッシュＲＯＭ、あるいは、取り外し可能な、ＳＤカード、小型ＨＤドライブ、光磁気ディスクドライブ等、様々なデバイスが想定可能であり、その形態は問わない。
【００４６】
ディスプレイ９は、ＴＶ放送データ制御部７から送られてきた画像データや他のアプリケーションデータ制御部１２から送られてきた画像データを表示する。例えば、ブラウン管、液晶ディスプレイ、プラズマディスプレイ、有機ＥＬディスプレイ、無機ＥＬディスプレイ等が挙げられる。
【００４７】
スピーカ１１は、音声出力部であり、ＴＶ放送データ制御部７から送られてきた音声データや他のアプリケーションデータ制御部１２から送られてきた音声データを出力する。
【００４８】
他のアプリケーションデータ制御部１２は、図示しない記憶部から、他のアプリケーションとしてディスプレイ９に表示させる画像データをディスプレイ制御部に送信する。また、他のアプリケーションとして音声出力する音声データをオーディオ制御部１０に送信する。
【００４９】
なお、テレビ記録制御装置１５は、例えば、記録したテレビ放送を再生するための再生手段を有していてもよい。その際には、ＴＶ放送データ記録制御部５からＴＶ放送データ制御部７へＴＶ放送データ記憶装置４に記録したＴＶ放送データが送信される。また、ＴＶ放送データ記憶装置４が取り外し可能になっており、外部の再生装置を用いて再生されてもよい。
次に、テレビ記録制御装置のテレビ放送データ記録処理について、図２のフローチャートを参照に説明する。
【００５０】
図２に示すように、初めにステップ２１（Ｓ２１と略する、以下同様）では、ディスプレイ制御部８によりその表示を制御されているディスプレイ９において、ＴＶチューナ６がアンテナを介して外部から受信しているテレビ放送データが表示中であるとする。
【００５１】
Ｓ２２では、ディスプレイ表示監視部３は、ＴＶ放送画面（テレビ放送データの画像）の上に他のアプリケーション画面（受信しているテレビ放送データ以外の他のデータの画像）がオーバラップしているか否かを判断する。Ｓ２２で、ディスプレイ表示監視部３が他のアプリケーション画面がオーバラップしていないと判断すると（Ｓ２２においてＮＯ）、Ｓ２１に戻り、ディスプレイ制御部８が外部から受信しているテレビ放送データを表示し続ける。Ｓ２２で、他のアプリケーション画面がオーバラップしていないと判断すると（Ｓ２２においてＹＥＳ）、Ｓ２３に進む。
【００５２】
Ｓ２３では、ＴＶ放送データバックアップ制御部１は、ＴＶ放送データバックアップ設定部２により与えられるＴＶバックアップ設定がされているか否かを判定する。Ｓ２３において、ＴＶ放送データバックアップ制御部１がＴＶバックアップが設定されていないと判定する、あるいは設定がＯＦＦであると判定すると（Ｓ２３においてＮＯ）、Ｓ２１へ戻り、ディスプレイ制御部８は、外部から受信しているテレビ放送データを表示し続ける。Ｓ２３において、ＴＶ放送データバックアップ制御部１がＴＶバックアップが設定されていると判定する、あるいは設定がＯＮであると判定すると（Ｓ２３においてＹＥＳ）、Ｓ２４に進む。
【００５３】
Ｓ２４では、ＴＶ放送データバックアップ制御部１は、ＴＶ放送データ記録制御部５に対して、ＴＶ放送データの記録開始を要求する。そして、ＴＶ放送データ記録制御部５は、ＴＶ放送データをＴＶ放送データ記憶装置４へ記録開始する。
【００５４】
Ｓ２５において、ディスプレイ表示監視部３は、ＴＶ放送画面の上にオーバラップしている他アプリケーション画面があるか否かを検出する。Ｓ２５において、ディスプレイ表示監視部３がＴＶ放送画面の上にオーバラップしている他アプリケーション画面を検出しないと（Ｓ２５においてＮＯ）、Ｓ２５を繰り返す。このことで、ディスプレイ表示監視部３は、ディスプレイ制御部８がディスプレイ９にＴＶ放送画面の上に他アプリケーション画面を表示しているかどうかを監視し続ける。また、ＴＶ放送データ記録制御部５は、Ｓ２５において、ディスプレイ表示監視部３がＴＶ放送画面の上にオーバラップしている他アプリケーション画面が無くなったことを検出するまでＴＶ放送データの記録を継続する。
【００５５】
Ｓ２５において、ディスプレイ表示監視部３がＴＶ放送画面の上にオーバラップしている他アプリケーション画面を検出すると（Ｓ２５においてＹＥＳ）、Ｓ２６に進む。
【００５６】
Ｓ２６では、ＴＶ放送データバックアップ制御部１は、ＴＶ放送データ記録制御部５に対してＴＶ放送の記録終了を要求する。そして、ＴＶ放送データ記録制御部５は、ＴＶ放送データをＴＶ放送データ記憶装置４へ記録することを終了する。
【００５７】
以上のように、本実施形態のテレビ記録制御装置１５の構成およびそのテレビ放送データ記録処理によると、常にディスプレイ９での表示が監視されており、テレビ放送画面上に、何らかのテレビ放送データ以外のデータの画面がオーバラップ表示され、テレビ放送画面が一部でも表示されなくなった場合（部分表示状態の場合）には、ユーザの操作が無くてもＴＶ放送データの記録を行うことができる。
【００５８】
なお、テレビ放送画面が一部でも表示されなくなった場合、ユーザの操作が無くてもＴＶ放送データの記録されるのは、本実施形態のように、テレビ放送画面の上に他のアプリケーション等の何らかのテレビ放送データ以外の画画面がオーバラップされる場合だけでなく、次のような場合であってもよい。つまり、テレビ放送データの放送されている画像の表示領域が表示画面内で移動可能になっており、そのテレビ放送データの放送されている画像の表示領域の少なくとも一部が表示画面から外れる場合等であってもよい。
【００５９】
従来のテレビ付き携帯電話機では、電話の通信以外でテレビ放送表示中にテレビ放送の表示を妨げるイベント、すなわち、テレビ放送以外の画面がＴＶ放送の画面表示にオーバラップして表示された場合には、ユーザはテレビ視聴を諦めなければならなかった。また、テレビ放送データの記録機能を用いたとしても、ユーザがＴＶ放送の記録の設定を行ってから他のアプリケーションを起動しなくてはならなかった。しかし、テレビ記録制御装置１５は、ユーザが意図するしないにかかわらず、テレビ放送を視聴中に、テレビ放送画面が一部表示されなくなるというテレビ放送の視聴を妨げるイベントが発生した場合でも、ユーザの操作なしに、つまり自動的に、テレビ放送データの記録を行うことができる。このことにより、オーバラップ表示されたデータに意識が集中しても、テレビ放送の視聴ができなかった部分を後で視聴することが可能になる。そのため、意識が散漫にならず、重畳表示されたデータの確認、およびテレビ放送の視聴を行うことができる。
【００６０】
テレビ放送の視聴を妨げるイベントが緊急性を有するものでも、そのテレビ放送の視聴を妨げるイベントに対処した、あるいはそのイベントが終了した後に、記録されたテレビ放送を再生することにより、テレビ放送を継続してかつ集中して視聴することができる。
【００６１】
なお、他のアプリケーションのオーバラップ表示が無くなった後、テレビ放送画面の全部が表示されるようになると、ユーザは、テレビ放送の視聴に戻る場合が多い。テレビ記録制御装置１５は、他のアプリケーション画面がテレビ画面にオーバラップしている間だけ、つまり、視聴を妨げるイベントがある間のみテレビ放送データを記録する。よって、オーバラップ後の無駄な記録等を行うことがない。そのため、後ほど記録されたテレビ放送を再生して視聴する場合でも、既に見た部分を見ることなく、無駄な視聴を省いて、見逃した部分のみを確実に視聴することができる。無駄な記録が行われないので、ＴＶ放送データ記憶装置４の容量が少ない場合にも対応することができる。
【００６２】
また、テレビ記録制御装置１５では、ディスプレイ表示監視部３がＴＶ放送画面の上にオーバラップしている他アプリケーション画面を検出した場合、ＴＶ放送データバックアップ設定部２によりＴＶバックアップ設定がされていると、テレビ放送データが上記記憶装置に記録される。予め記録するように設定しておくことで、テレビ放送データの放送されている画像が一部でも表示されなくなった場合、テレビ放送データは記録される。また、予め記録しないように設定しておくことで、テレビ放送データは記憶されない。このようにユーザが好みで必要に応じて設定することができる。また、オーバラップ表示が行われた時点で、テレビ放送データを記憶させるか記憶させないかの判断をユーザにさせるようになっていてもよい。
【００６３】
本実施形態のテレビ記録制御装置１５を構成の一部とする携帯電話機は、この携帯電話機にてテレビを視聴中に、表示画面に何らかのデータが表示される携帯電話機の有する機能を使用する場合、あるいは、ユーザが意図せず何らかのデータが表示画面に表示されるようなイベントが発生した場合、ユーザの操作なしに自動的に、テレビ放送が記録される。そのため、ユーザは、テレビ視聴中でも、気軽に例えば他のアプリケーションを起動でき、後ほど記録されたテレビ放送を視聴することができる。そのため、例えば、メールの受信や返信等も、テレビ放送の続きを気にすることなく行うことができ、その受信や返信等の後に、テレビ放送の内容を見逃すことなく確実に視聴することができる。
【００６４】
なお、テレビ記録制御装置１５の各ブロックは、ハードウェアロジックによって構成してもよいし、次のようにＣＰＵを用いてソフトウェアによって実現してもよい。
【００６５】
すなわち、テレビ記録制御装置１５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体、図示せず）などを備えている。そして、本発明の目的は、上述した機能を実現するソフトウェアであるテレビ記録制御装置１５の制御プログラムのプログラムコード（実行形式プログラム、中間コードプログラム、ソースプログラム）をコンピュータで読み取り可能に記録した記録媒体を、上記テレビ記録制御装置１５に供給し、そのコンピュータ（またはＣＰＵやＭＰＵ）が記録媒体に記録されているプログラムコードを読み出し実行することによっても、達成可能である。
【００６６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６７】
また、テレビ記録制御装置１５を通信ネットワークと接続可能に構成し、上記プログラムコードを通信ネットワークを介して供給してもよい。この通信ネットワークとしては、特に限定されず、例えば、インターネット、イントラネット、エクストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６９】
また、本発明に係るテレビ記録制御装置は、ＴＶチューナとＴＶ放送データの記録再生機能を有するＴＶ放送自動記録装置であって、前記ＴＶ放送自動記録装置は、ＴＶ放送データのディスプレイ表示中に他アプリケーションの画面表示がＴＶ放送データの画面表示にオーバラップして表示されたことを検出するディスプレイ表示監視部を有し、前記ディスプレイ表示監視部において、他アプリケーションの画面表示がＴＶ放送データの画面表示にオーバラップして表示されたことを検出した場合は、ＴＶ放送データの二次記憶装置への記録を開始し、前記ディスプレイ表示監視部において、ＴＶ放送データの画面表示にオーバラップしていた他アプリケーションの画面表示が無くなったことを検出した場合は、ＴＶ放送データの二次記憶装置への記録を終了する構成としてもよい。
【００７０】
また、前記ＴＶ放送自動記録装置は、上記構成に加え、前記ＴＶ放送データの二次記憶装置への記録を自動的に実施するかしないかの設定を保持するＴＶ放送データバックアップ設定部を有し、前記ディスプレイ表示監視部において、他アプリケーションの画面表示がＴＶ放送データの画面表示にオーバラップして表示されたことを検出した場合、前記ＴＶ放送データバックアップ設定部により与えられる前記ＴＶ放送データの二次記憶装置への記録を自動的に実施するかしないかの設定に応じて、前記ＴＶ放送データの二次記憶装置への記録を実施するかしないかを判定してもよい。
【００７１】
また、本発明に係るテレビ記録制御方法は、ディスプレイ表示監視部においてＴＶ放送データのディスプレイ表示中に他アプリケーションの画面表示がＴＶ放送データの画面表示にオーバラップして表示されているかいないかを検出することにより、ＴＶ放送データの二次記憶装置への記録の開始および終了を制御するＴＶ放送自動記録制御方法であって、前記ディスプレイ表示監視部において、他アプリケーションの画面表示がＴＶ放送データの画面表示にオーバラップして表示されたことを検出した場合は、ＴＶ放送データの二次記憶装置への記録を開始するステップと、前記ディスプレイ表示監視部において、ＴＶ放送データの画面表示にオーバラップしていた他アプリケーションの画面表示が無くなったことを検出した場合は、ＴＶ放送データの二次記憶装置への記録を終了するステップを有する方法であってもよい。
【産業上の利用可能性】
【００７２】
テレビ放送データを記憶部に記録させる任意のテレビ記録制御装置に適用することができる。
【図面の簡単な説明】
【００７３】
【図１】本発明の一実施形態であるテレビ記録制御装置の構成を示すブロック図である。
【図２】上記テレビ記録制御装置のテレビ放送データ記録処理の流れを示すフローチャートである。
【図３】（ａ）および（ｂ）は、テレビ放送画面の上に他のアプリケーション画面がオーバラップ表示されていない表示画面例であり、（ｃ）〜（ｆ）は、テレビ放送画面の上に他のアプリケーション画面がオーバラップ表示された表示画面例を示す図である。
【符号の説明】
【００７４】
１    ＴＶ放送データバックアップ制御部
２    ＴＶ放送データバックアップ設定部
３    ディスプレイ表示監視部（表示監視手段）
４    ＴＶ放送データ記憶装置（記憶部）
５    ＴＶ放送データ記録制御部（記録制御手段）
６    ＴＶチューナ
７    ＴＶ放送データ制御部
８    ディスプレイ制御部
９    ディスプレイ（表示画面）
１０  オーティオ制御部
１１  スピーカ
１２  他のアプリケーションデータ制御部
１５  テレビ記録制御装置
【図１】
2006229892.tif 000003
【図２】
2006229892.tif 000004
【図３】
2006229892.tif 000005